【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
上面及び底面を有し複数の貫通孔を有する孔開き材料と、孔開き材料の上面に配置される吸収体とを備えた傷手当用品において、
孔開き材料の少なくとも底面が、貫通孔の全部が塞がれることがないように貫通孔の少なくとも一部を残してシリコーン樹脂で被覆され、
吸収体の孔開き材料の貫通孔と対向する部分の一部が、シリコーン樹脂で被覆され、
孔開き材料の底面側から吸収体内部へ液体が通過し得るようにしたことを特徴とする傷手当用品。
【請求項２】
上面及び底面を有し複数の貫通孔を有する孔開き材料と、孔開き材料の上面に配置される吸収体とを備えた傷手当用品において、
孔開き材料の上面及び底面が、貫通孔の全部が塞がれることがないように貫通孔の少なくとも一部を残してシリコーン樹脂で被覆され、
吸収体の孔開き材料の貫通孔と対向する部分の一部が、シリコーン樹脂で被覆され、
孔開き材料と吸収体とが、孔開き材料の上面に位置するシリコーン樹脂により接着され、孔開き材料の底面側から吸収体内部へ液体が通過し得るようにしたことを特徴とする傷手当用品。
【請求項３】
シリコーン樹脂が、粘着性ゲルであることを特徴とする請求項１又は２に記載の傷手当用品。
【請求項４】
シリコーン樹脂が、孔開き材料の底面から内部に浸透し孔開き材料の上面に至っていることを特徴とする請求項１〜３のいずれか１項に記載の傷手当用品。
【請求項５】
吸収体の孔開き材料の貫通孔と対向する部分が、孔開き材料の底面側から吸収体内部へ液体が通過することを阻害しない程度にシリコーン樹脂で被覆されていることを特徴とする請求項１〜４のいずれか１項に記載の傷手当用品。
【請求項６】
孔開き材料及び吸収体を被覆するシリコーン樹脂量が、１５０〜３５０ｇ／ｍ2であることを特徴とする請求項１〜５のいずれか１項に記載の傷手当用品。
【請求項７】
孔開き材料が、厚さ０．０５〜０．７ｍｍの編布であることを特徴とする請求項１〜６のいずれか１項に記載の傷手当用品。
【請求項８】
孔開き材料が、０．０1〜１０ｍｍ2の貫通孔平均断面積と、５〜７０％の開孔率とを備えることを特徴とする請求項１〜７のいずれか１項に記載の傷手当用品。
【請求項９】
上面及び底面を有し複数の貫通孔を有する孔開き材料と、孔開き材料の上面に配置される吸収体とを備え、孔開き材料の少なくとも底面が、貫通孔の全部が塞がれることがないように貫通孔の少なくとも一部を残してシリコーン樹脂で被覆され、吸収体の孔開き材料の貫通孔と対向する部分の一部が、シリコーン樹脂で被覆され、孔開き材料の底面側から吸収体内部へ液体が通過し得るようにした傷手当用品の製造方法であって、
（Ｐ１）剥離シートにシリコーン樹脂を塗工する工程、
（Ｐ２）硬化前のシリコーン樹脂塗工面に孔開き材料を載せ、孔開き材料の上面に吸収体を載せ、孔開き材料及び吸収体にシリコーン樹脂を被覆する工程、
（Ｐ３）シリコーン樹脂を加熱硬化させる工程、
からなることを特徴とする傷手当用品の製造方法。
【請求項１０】
上面及び底面を有し複数の貫通孔を有する孔開き材料と、孔開き材料の上面に配置される吸収体とを備え、孔開き材料の上面及び底面が、貫通孔の全部が塞がれることがないように貫通孔の少なくとも一部を残してシリコーン樹脂で被覆され、吸収体の孔開き材料の貫通孔と対向する部分の一部が、シリコーン樹脂で被覆され、孔開き材料と吸収体とが、孔開き材料の上面に位置するシリコーン樹脂により接着され、孔開き材料の底面側から吸収体内部へ液体が通過し得るようにした傷手当用品の製造方法であって、
（Ｐ１）剥離シートにシリコーン樹脂を塗工する工程、
（Ｐ２Ａ）硬化前のシリコーン樹脂塗工面に孔開き材料を載せ、孔開き材料の上面に吸収体を載せ、シリコーン樹脂を孔開き材料の底面から内部に浸透させ孔開き材料の上面に至らせることで孔開き材料と吸収体とをシリコーン樹脂により接着すると共に、孔開き材料及び吸収体にシリコーン樹脂を被覆する工程、
（Ｐ３）シリコーン樹脂を加熱硬化させる工程、
からなることを特徴とする傷手当用品の製造方法。
【手続補正２】
【補正対象書類名】明細書
【補正対象項目名】０００９
【補正方法】変更
【補正の内容】
【０００９】
また、本発明は、上面及び底面を有し複数の貫通孔を有する孔開き材料と、孔開き材料の上面に配置される吸収体とを備えた傷手当用品において、孔開き材料の上面及び底面が、貫通孔の全部が塞がれることがないように貫通孔の少なくとも一部を残してシリコーン樹脂で被覆され、吸収体の孔開き材料の貫通孔と対向する部分の一部が、シリコーン樹脂で被覆され、孔開き材料と吸収体とが、孔開き材料の上面に位置するシリコーン樹脂により接着され、孔開き材料の底面側から吸収体内部へ液体が通過し得るようにしたことを特徴とする。
【手続補正３】
【補正対象書類名】明細書
【補正対象項目名】００１０
【補正方法】変更
【補正の内容】
【００１０】
さらに、前記発明の実施態様としては下記の発明が好ましい。即ち、シリコーン樹脂は、粘着性ゲルとすることが好ましい。また、孔開き材料の貫通孔の内周面が、貫通孔の全部が塞がれることなくシリコーン樹脂で被覆されていることが好ましい。さらに、シリコーン樹脂が、孔開き材料の底面から内部に浸透し孔開き材料の上面に至っていることが好ましい。また、吸収体の孔開き材料の貫通孔と対向する部分が、孔開き材料の底面側から吸収体内部へ液体が通過することを阻害しない程度にシリコーン樹脂で被覆されていることが好ましい。さらに、孔開き材料及び吸収体を被覆するシリコーン樹脂量が、１５０〜３５０ｇ／ｍ2であることが好ましい。また、孔開き材料が、厚さ０．０５〜０．７ｍｍの編布であることが好ましい。さらに、孔開き材料が、０．０1〜１０ｍｍ2の貫通孔平均断面積と、５〜７０％の開孔率とを備えることが好ましい。
【手続補正４】
【補正対象書類名】明細書
【補正対象項目名】００１２
【補正方法】変更
【補正の内容】
【００１２】
さらに、本発明の製造方法としては、下記の発明が好ましい。即ち、
上面及び底面を有し複数の貫通孔を有する孔開き材料と、孔開き材料の上面に配置される吸収体とを備え、孔開き材料の上面及び底面が、貫通孔の全部が塞がれることがないように貫通孔の少なくとも一部を残してシリコーン樹脂で被覆され、吸収体の孔開き材料の貫通孔と対向する部分の一部が、シリコーン樹脂で被覆され、孔開き材料と吸収体とが、孔開き材料の上面に位置するシリコーン樹脂により接着され、孔開き材料の底面側から吸収体内部へ液体が通過し得るようにした傷手当用品の製造方法であって、下記の工程を含むことを特徴とする。
（Ｐ１）剥離シートにシリコーン樹脂を塗工する工程
（Ｐ２Ａ）硬化前のシリコーン樹脂塗工面に孔開き材料を載せ、孔開き材料の上面に吸収体を載せ、シリコーン樹脂を孔開き材料の底面から内部に浸透させ孔開き材料の上面に至らせることで孔開き材料と吸収体とをシリコーン樹脂により接着すると共に、孔開き材料及び吸収体にシリコーン樹脂を被覆する工程
（Ｐ３）シリコーン樹脂を加熱硬化させる工程
【手続補正５】
【補正対象書類名】明細書
【補正対象項目名】００３３
【補正方法】変更
【補正の内容】
【００３３】
また、孔開き材料と吸収体とを、孔開き材料の上面に位置するシリコーン樹脂により接着することが、傷への固着性及び製造上の観点から好ましい。孔開き材料と吸収体とをシリコーン樹脂で接着する態様としては、シリコーン樹脂を孔開き材料の底面から内部に浸透させ孔開き材料の上面に至らせ、そのシリコーン樹脂により接着する態様を用いることが好ましい。このような態様によれば、孔開き材料のシリコーン樹脂による被覆と、孔開き材料と吸収体の一体化とを同時に行うことができ、製造上有利である。
なお、孔開き材料と吸収体の両方を含めた傷手当用品全体に付着させるシリコーン樹脂の量は、１５０〜３５０ｇ／ｍ2であることが好ましく、１７０〜２５０ｇ／ｍ2が更に好ましい。１５０ｇ／ｍ2より少ないと、傷との固着を防ぐことが困難になり、孔開き材料の内部にシリコーン樹脂を浸透させ孔開き材料と吸収体とを接着することが困難となる。また、３５０ｇ／ｍ2より多いと、シリコーン樹脂が孔開き材料の貫通孔と吸収体の空孔部分を塞いでしまい滲出液の吸収が効率良く行なわれなくなる可能性がある。
本発明の傷手当用品の粘着力は、０．１〜１．５Ｎ/２５ｍｍであることが好ましく、０．１５〜１．２Ｎ/２５ｍｍであることが更に好ましい。傷手当用品の粘着力が０．１Ｎ/２５ｍｍより低いと患部への密着性が損なわれる恐れがあり、１．５Ｎ/２５ｍｍより高いと、傷手当用品の交換時に創傷面を損傷してしまう恐れがある。